(57)【要約】【課題】装置本体の下方側に配置される下方側吐水口から吐出される水を容易に汲むことができる水栓装置を提供すること。【解決手段】装置本体１１と、装置本体１１の下方側に配置される下方側吐水口５０１を有する下方側吐水部５０と、下方側吐水口５０１よりも上方側に配置される上方側吐水口１４２ａを有する上方側吐水部１４２と、上方側吐水部１４２に接続される上方側流路Ｌ４１と、下方側吐水部５０に接続され配管Ｌ１１、Ｌ１２，Ｌ２内に滞留した滞留水を排水するための捨水流路Ｌ４２と、下方側吐水部５０に接続される下方側流路Ｌ３２と、を備え、下方側吐水口５０１は、装置本体１１に対面した場合における装置本体１１の手前側を向くように配置される。【選択図】図５
2019042044.tif 000002
【特許請求の範囲】
【請求項１】
装置本体と、
前記装置本体の下方側に配置される下方側吐水口を有する下方側吐水部と、
前記下方側吐水口よりも上方側に配置される上方側吐水口を有する上方側吐水部と、
前記上方側吐水部に接続される上方側流路と、
前記下方側吐水部に接続され配管内に滞留した滞留水を排水するための捨水流路と、
前記下方側吐水部に接続される下方側流路と、を備え、
前記下方側吐水口は、前記装置本体に対面した場合における前記装置本体の手前側を向くように配置される水栓装置。
【請求項２】
前記下方側吐水部は、前記下方側吐水口の向きを変更するように回転可能に構成される請求項１に記載の水栓装置。
【請求項３】
前記下方側吐水部は、前記装置本体の前面から突出しない位置に配置される請求項１又は２に記載の水栓装置。
【発明の詳細な説明】
【技術分野】
【０００１】
本発明は、装置本体の下方側に配置される下方側吐水口を備える水栓装置に関する。
【背景技術】
【０００２】
従来、装置本体と、装置本体の上方側に配置されるオーバーヘッドシャワー吐水口（上方側吐水口）を有するオーバーヘッドシャワー吐水部（上方側吐水部）と、装置本体の下方側に配置される下方側吐水口を有する下方側吐水部と、を備え、オーバーヘッドシャワー吐水口（上方側吐水口）から吐水するオーバーヘッドシャワー吐水状態と、配管内に滞留した冷水（滞留水）を下方側吐水部から排水するための冷水捨水状態と、を切り替え可能なオーバーヘッドシャワー操作ハンドルを備える水栓装置が知られている（例えば、特許文献１参照）。
また、特許文献１に記載の水栓装置は、オーバーヘッドシャワー操作ハンドルに加えて、ハンドシャワーから湯水を吐水するハンドシャワー吐水状態と、下方側吐水部から湯水を吐水する下方側湯水吐水状態と、に切り替え可能なハンドシャワー操作ハンドルも備えている。
【０００３】
特許文献１に記載の技術においては、下方側吐水部は、配管内に滞留した冷水（滞留水）を下方側吐水部から排水を吐水する吐水部と、ハンドシャワー操作ハンドルによる操作により下方側から湯水を吐水する吐水部との両方の吐水部を兼ねている。
【先行技術文献】
【特許文献】
【０００４】
【特許文献１】特開２０１６−７３１９号公報
【発明の概要】
【発明が解決しようとする課題】
【０００５】
特許文献１に記載の水栓装置においては、下方側吐水部は、装置本体の下方に突出すると共に、下方側吐水口は、下方を向いている。そのため、下方側吐水部から吐出される水を洗面器に汲む際には、例えば、下方側吐出部の下方側吐水口の下方に洗面器を配置した状態で、下方側吐水口の下方において洗面器に水を汲み、水を汲み終わった後に、洗面器を上方側に持ち上げる。この場合、洗面器を上方側に持ち上げる際に、洗面器が下方側吐水部にぶつかりやすいため、洗面器を手前側に引き出した後に、洗面器を上方側に持ち上げる必要があった。よって、下方側吐水口から吐出される水を容易に汲むことができることが望まれている。
【０００６】
本発明は、装置本体の下方側に配置される下方側吐水口から吐出される水を容易に汲むことができる水栓装置を提供することを目的とする。
【課題を解決するための手段】
【０００７】
本発明は、前記装置本体の下方側に配置される下方側吐水口（例えば、後述の下方側吐水口５０１）を有する下方側吐水部（例えば、後述の下方側吐水部５０）と、前記下方側吐水口よりも上方側に配置される上方側吐水口（例えば、後述の散水孔１４２ａ）を有する上方側吐水部（例えば、後述のオーバーヘッドシャワー吐水部１４２）と、前記上方側吐水部に接続される上方側流路（例えば、後述のオーバーヘッドシャワー側吐水配管Ｌ４１）と、前記下方側吐水部に接続され配管内に滞留した滞留水を排水するための捨水流路（例えば、後述のオーバーヘッドシャワー側捨水配管Ｌ４２）と、前記下方側吐水部に接続される下方側流路（例えば、後述の下方側吐水配管Ｌ３２）と、を備え、前記下方側吐水口は、前記装置本体に対面した場合における前記装置本体の手前側を向くように配置される水栓装置（例えば、後述のシャワー装置１０）に関する。
【０００８】
また、前記下方側吐水部は、前記下方側吐水口の向きを変更するように回転可能に構成されることが好ましい。
【０００９】
また、前記下方側吐水部は、前記装置本体の前面から突出しない位置に配置されることが好ましい。
【発明の効果】
【００１０】
本発明によれば、装置本体の下方側に配置される下方側吐水口から吐出される水を容易に汲むことができる水栓装置を提供することができる。
【図面の簡単な説明】
【００１１】
【図１】本発明の浴室の全体構成を示す斜視図である。
【図２】シャワー装置１０の配管の経路を模式的に示した図である。
【図３】シャワー装置における４つの操作ハンドルを示す正面図である。
【図４】下方側吐水部を示す斜視図である。
【図５】下方側吐水部を示す側面図である。
【図６】下方側吐水部を示す断面図である。
【図７】下方側吐水部の分解斜視図である。
【発明を実施するための形態】
【００１２】
以下、本発明の実施形態の浴室１について、図面を参照しながら説明する。
本実施形態の浴室１は、図１に示すように、複数の壁パネル２と、天井パネル３と、洗い場床（防水パン）４と、ベンチカウンター５と、シャワー装置１０（水栓装置）と、図示しない浴槽や浴室出入口や窓等と、を備える。
【００１３】
シャワー装置１０は、浴室１内の壁パネル２の壁面２ａに設けられるシャワー装置本体１１（装置本体）と、オーバーヘッドシャワー部１４と、打たせ湯部１５と、下方側吐水部５０と、ハンドシャワー部１３と、を備える。
【００１４】
シャワー装置１０には、図２に示すように、給湯配管Ｌ１１により、湯が供給され、給水配管Ｌ１２により、水が供給される。給湯配管Ｌ１１及び給水配管Ｌ１２は、湯及び水を混合する混合バルブ６１に接続される。混合バルブ６１により混合された湯水は、各配管Ｌ２，Ｌ３１、Ｌ３２，Ｌ４１，Ｌ４２，Ｌ５１，Ｌ５２及び切替バルブ６２，４０，６３等を介して、ハンドシャワー部１３、オーバーヘッドシャワー部１４、打たせ湯部１５及び下方側吐水部５０にそれぞれ流通される。
【００１５】
シャワー装置本体１１は、図１に示すように、壁パネル２の壁面２ａに取り付けられると共に上下方向に細長い中空箱型のシャワー筐体１１１と、シャワー筐体１１１の内部に配置される配管（給湯配管Ｌ１１、給水配管Ｌ１２等）、混合バルブ６１及び切替バルブ６２，４０，６３（図２参照）等と、を備えて構成されている。
【００１６】
シャワー筐体１１１は、上端部が、天井パネル３の下面で構成される浴室天井面３ａに設置されるオーバーヘッドシャワー筐体１４１の下面に接続され、下端部が、洗い場床４の上面（床面）から離間して配置される。シャワー筐体１１１の下端部には、下方側吐水部５０が取り付けられる。
【００１７】
シャワー筐体１１１の前面１１１ａにおける中央よりも下方側の部分には、４つの操作ハンドル２０が縦一列に設けられる。
【００１８】
シャワー筐体１１１の下方側における一方側の側面１１１ｃには、給湯配管Ｌ１１及び給水配管Ｌ１２の接続位置に対応した位置に、点検口２５と、点検口２５を塞ぐ蓋部材２６と、が設けられている。
【００１９】
オーバーヘッドシャワー部１４は、オーバーヘッドシャワー筐体１４１を有する。オーバーヘッドシャワー筐体１４１は、シャワー筐体１１１の上端部から天井パネル３の浴室天井面３ａに沿って水平に延びる直方体形状に形成される。オーバーヘッドシャワー筐体１４１の下面には、オーバーヘッドシャワー吐水部１４２が設けられる。オーバーヘッドシャワー部１４は、オーバーヘッドシャワー用操作ハンドル２３（後述）によって吐水操作され、シャワー装置本体１１の上方側において、オーバーヘッドシャワー吐水部１４２に設けられた複数の散水孔１４２ａ（上方側吐水口）から、シャワー水（湯水）を下向きに散水する。オーバーヘッドシャワー吐水部１４２に設けられた複数の散水孔１４２ａは、下方側吐水部５０（後述）の下方側吐水口５０１よりも上方側に配置される。
【００２０】
打たせ湯部１５は、打たせ湯吐水部１５１を有する。打たせ湯吐水部１５１は、ベンチカウンター５の上方において、天井パネル３の浴室天井面３ａに設けられる。打たせ湯部１５は、打たせ湯用操作ハンドル２４（後述）によって吐水操作されシャワー装置本体１１の上方側において、打たせ湯吐水口１５１ａから間欠的に湯水を落下させるように構成されている。
【００２１】
ハンドシャワー部１３は、シャワーホース１３１と、シャワーホース１３１の先端に設けられたシャワーヘッド１３２と、を有する。シャワーホース１３１は、シャワー筐体１１１の他方側の側面１１１ｄに設けられた継手（図示せず）を介してシャワー装置本体１１に接続されている。ハンドシャワー部１３は、ハンドシャワー用操作ハンドル２２（後述）によって吐水操作されるように構成されている。
【００２２】
下方側吐水部５０は、シャワー装置本体１１のシャワー筐体１１１の下面（底面）１１１ｂに取り付けられる。下方側吐水部５０は、下端側が、手前側に下るように傾斜した直線状に延び、下方側吐水部５０の下端には、下方側吐水口５０１が設けられる。下方側吐水口５０１は、シャワー装置本体１１の下方側に配置される。下方側吐水口５０１は、シャワー装置本体１１に対面した場合におけるシャワー装置本体１１の手前側を向くように配置される。
【００２３】
下方側吐水部５０は、下方側吐水口５０１から吐水される水を斜め下方の手前側に向けて吐水する。下方側吐水部５０からは、後述するように、オーバーヘッドシャワー用操作ハンドル２３の冷水捨水位置において排水される冷水や、打たせ湯用操作ハンドル２４の冷水捨水位置において排水される冷水や、ハンドシャワー用操作ハンドル２２の下方側吐水位置において下方側吐水部５０から吐水される湯水が吐水される。
【００２４】
４つの操作ハンドル２０は、図１に示すように、シャワー装置本体１１のシャワー筐体１１１の前面１１１ａの下方側に配置される。４つの操作ハンドル２０は、図２及び図３に示すように、下方から上方に向かって順に、混合水の温度調節用の温度調節用操作ハンドル２１、ハンドシャワー用操作ハンドル２２、オーバーヘッドシャワー用操作ハンドル２３（操作ハンドル）、打たせ湯用操作ハンドル２４である。
【００２５】
各操作ハンドル２１，２２，２３，２４は、図３に示すように、回転可能な回転ハンドル式で構成され、それぞれ外周面から径方向外方に突出した指示突出部２１１，２２１，２３１，２４１が設けられている。指示突出部２１１，２２１，２３１，２４１は、各操作ハンドル２１，２２，２３，２４の周囲に表示された表示部１２１，１２２，１２３，１２４の示す位置によって、現在の操作状態を目視で確認できる。
【００２６】
温度調節用操作ハンドル２１は、図２に示すように、湯及び水を混合する混合バルブ６１における湯水の水温を調整するように操作可能である。混合バルブ６１は、供給された水と湯とを温度調節用操作ハンドル２１の操作に応じて所定比率で混合し、適温の温調水（温度調節された湯）とするバルブである。混合バルブ６１により混合された湯水は、混合湯水供給配管Ｌ２を介して、各切替バルブ６２，４０，６４に向けて流通される。
【００２７】
図３に示すように、シャワー装置本体１１のシャワー筐体１１１の前面１１１ａにおいて、温度調節用操作ハンドル２１の周囲には、表示部１２１が表示されている。表示部１２１には、温度調整の範囲を示す円弧状の曲線、温度を示す「Ｃ」、「Ｈ」及び「４０」の文字の表示が表されている。温度調節用操作ハンドル２１の指示突出部２１１は、表示部１２１の表示内容に対応して回転操作され、湯水の調節温度の表示内容に対応した方向に突出する位置に配置される。
【００２８】
ハンドシャワー用操作ハンドル２２は、止水状態となる止水位置と、シャワーヘッド１３２からシャワー吐水を行うシャワー吐水状態となるハンドシャワー吐水位置と、下方側吐水部５０から湯水を吐水する下方側吐水状態となる下方側吐水位置と、の３位置に切り替え操作可能である。
【００２９】
図３に示すように、シャワー装置本体１１のシャワー筐体１１１の前面１１１ａにおいて、ハンドシャワー用操作ハンドル２２の周囲には、表示部１２２が表示されている。表示部１２２には、水平方向の左側に示される止水位置表示１２２ａ（横線）、垂直方向の上方側に示されるハンドシャワー吐水位置表示１２２ｂ（ハンドシャワー部１３からの吐水の絵の表示）、垂直方向の下方側に示される下方側吐水位置表示１２２ｃ（下方側吐水部５０からの吐水の絵の表示）が表されている。
【００３０】
ハンドシャワー用操作ハンドル２２の指示突出部２２１は、表示部１２２の表示内容に対応して回転操作され、止水状態においては、止水位置表示１２２ａの方向に突出する位置に配置され、シャワー吐水状態においては、ハンドシャワー吐水位置表示１２２ｂの方向に突出する位置に配置され、下方側吐水状態においては、下方側吐水位置表示１２２ｃの方向に突出する位置に配置される。
【００３１】
ハンドシャワー用操作ハンドル２２は、図２に示すように、ハンドシャワー用切替バルブ６２に接続されている。ハンドシャワー用切替バルブ６２は、ハンドシャワー用操作ハンドル２２の切り替え操作により、ハンドシャワー用操作ハンドル２２の回転動作における各位置に対応して、止水状態、ハンドシャワー部１３から湯水を吐水するハンドシャワー吐水状態、下方側吐水部５０から湯水を吐水する下方側吐水状態と、の３つの状態に切り替え可能である。
【００３２】
ハンドシャワー用操作ハンドル２２の切り替え操作によりハンドシャワー用切替バルブ６２がハンドシャワー吐水状態に切り替えられた場合には、湯水がハンドシャワー用切替バルブ６２からハンドシャワー吐水配管Ｌ３１に導出され、ハンドシャワー吐水配管Ｌ３１を介して、ハンドシャワー部１３から湯水が吐水される。ハンドシャワー吐水配管Ｌ３１は、ハンドシャワー用切替バルブ６２とハンドシャワー部１３とを接続する。
ハンドシャワー用操作ハンドル２２の切り替え操作によりハンドシャワー用切替バルブ６２が下方側吐水状態に切り替えられた場合には、湯水がハンドシャワー用切替バルブ６２から下方側吐水配管Ｌ３２（下方側流路）に導出され、下方側吐水配管Ｌ３２を介して、ハンドシャワー部１３から湯水が吐水される。下方側吐水配管Ｌ３２は、ハンドシャワー用切替バルブ６２と下方側吐水部５０とを接続する。
【００３３】
オーバーヘッドシャワー用操作ハンドル２３は、図３に示すように、止水状態となる止水位置と、オーバーヘッドシャワー吐水状態（吐水状態）となるオーバーヘッド側吐水位置と、下方側吐水部５０から配管内の冷水（滞留水）を排水する冷水捨水状態（捨水状態）となる冷水捨水位置（捨水位置）と、の３つの位置に切り替え操作可能である。
オーバーヘッドシャワー用操作ハンドル２３は、止水位置から冷水捨水位置を経由してオーバーヘッド側吐水位置に切り替え可能であると共に、オーバーヘッド側吐水位置から冷水捨水位置を経由して止水位置に切り替え可能である。
また、オーバーヘッドシャワー用操作ハンドル２３は、シャワー吐水状態において、回転角度に応じて流量を変化させる流量操作部も兼ねている。
【００３４】
図３に示すように、シャワー装置本体１１のシャワー筐体１１１の前面１１１ａにおいて、オーバーヘッドシャワー用操作ハンドル２３の周囲には、表示部１２３が表示されている。表示部１２３には、水平方向の左側に示される止水位置表示１２３ａ（横線）、オーバーヘッドシャワー用操作ハンドル２３の中心角における止水位置から角度６０°の位置に表示される冷水捨水位置表示１２３ｂ（下方側吐水部５０から吐水される絵の表示）、冷水捨水位置表示１２３ｂから右側に向かうに従って水量が大きくなるように表示されるシャワー吐水位置表示１２３ｃ（徐々に大きくなる円弧状の線の表示、オーバーヘッドシャワー部１４から吐水される絵の表示）が表されている。シャワー吐水位置表示１２３ｃは、オーバーヘッドシャワー用操作ハンドル２３の中心角における止水位置から角度６０°の位置から、水平方向の右側（止水位置から１８０°）までの範囲の表示である。シャワー吐水位置表示１２３ｃの範囲においては、オーバーヘッドシャワー用操作ハンドル２３は、シャワー吐水状態において、回転角度に応じて流量を変化させることができる。
【００３５】
オーバーヘッドシャワー用操作ハンドル２３の指示突出部２３１は、表示部１２３の表示内容に対応して回転操作され、止水状態においては、止水位置表示１２３ａ（水平方向の左側）の方向に突出する位置に配置され、下方側吐水部５０の冷水捨水状態においては、冷水捨水位置表示１２３ｂ（水平方向及び垂直方向ではない止水位置から角度６０°の方向）の方向に突出する位置に配置され、シャワー吐水状態においては、シャワー吐水位置表示１２３ｃの範囲の方向に突出する位置に配置される。
【００３６】
オーバーヘッドシャワー用操作ハンドル２３は、図２に示すように、オーバーヘッドシャワー用シリンダ式弁装置４０に接続されている。オーバーヘッドシャワー用シリンダ式弁装置４０は、オーバーヘッドシャワー用操作ハンドル２３の切り替え操作により、オーバーヘッドシャワー用操作ハンドル２３の回転動作における各位置に対応して、止水状態、オーバーヘッドシャワー部１４からのオーバーヘッドシャワー吐水状態及び冷水捨水状態の３つの状態に切り替え可能なバルブである。
【００３７】
オーバーヘッドシャワー用操作ハンドル２３の切り替え操作によりオーバーヘッドシャワー用シリンダ式弁装置４０がオーバーヘッドシャワー吐水状態に切り替えられた場合には、湯水がオーバーヘッドシャワー用シリンダ式弁装置４０からオーバーヘッドシャワー側吐水配管Ｌ４１に導出され、オーバーヘッドシャワー側吐水配管Ｌ４１を介して、オーバーヘッドシャワー部１４から湯水が吐水される。オーバーヘッドシャワー側吐水配管Ｌ４１は、オーバーヘッドシャワー用シリンダ式弁装置４０とオーバーヘッドシャワー部１４とを接続する。
ハンドシャワー用操作ハンドル２２の切り替え操作によりオーバーヘッドシャワー用シリンダ式弁装置４０が冷水捨水状態に切り替えられた場合には、湯水がオーバーヘッドシャワー用シリンダ式弁装置４０からオーバーヘッドシャワー側捨水配管Ｌ４２に導出され、オーバーヘッドシャワー側捨水配管Ｌ４２を介して、下方側吐水部５０から冷水が排水される。オーバーヘッドシャワー側捨水配管Ｌ４２は、オーバーヘッドシャワー用シリンダ式弁装置４０と下方側吐水部５０とを接続する。
【００３８】
打たせ湯用操作ハンドル２４は、図３に示すように、止水状態となる止水位置と、打たせ湯吐水状態となる打たせ湯吐水位置と、下方側吐水部５０から冷水を排水する冷水捨水位置と、の３つの位置に切り替え操作可能である。
打たせ湯用操作ハンドル２４は、オーバーヘッドシャワー用操作ハンドル２３がオーバーヘッドシャワー部１４から湯水を吐水するように切り替え操作可能であるのに対して、打たせ湯部１５から湯水を吐水するように切り替える操作可能である。
打たせ湯用操作ハンドル２４は、その他の構成について、オーバーヘッドシャワー用操作ハンドル２３と同様の構成を有する。そのため、打たせ湯用操作ハンドル２４の説明は、オーバーヘッドシャワー用操作ハンドル２３の説明を援用して、その説明を省略する。打たせ湯用操作ハンドル２４に関連する構成には、オーバーヘッドシャワー用操作ハンドル２３の説明に使用した符号に対応する符号を付している。
【００３９】
打たせ湯用操作ハンドル２４は、図２に示すように、打たせ湯用シリンダ式弁装置６４に接続されている。打たせ湯用シリンダ式弁装置６４は、打たせ湯用操作ハンドル２４の切り替え操作により、止水状態、打たせ湯部１５からの吐水状態及び冷水捨水状態の３つの状態に切り替え可能なバルブである。
【００４０】
打たせ湯用操作ハンドル２４の切り替え操作により打たせ湯用シリンダ式弁装置６４が打たせ湯吐水状態に切り替えられた場合には、湯水が打たせ湯用シリンダ式弁装置６４から打たせ湯側吐水配管Ｌ５１に導出され、打たせ湯側吐水配管Ｌ５１を介して、打たせ湯部１５から湯水が吐水される。打たせ湯側吐水配管Ｌ５１は、打たせ湯用シリンダ式弁装置６４と打たせ湯部１５とを接続する。
打たせ湯用操作ハンドル２４の切り替え操作により打たせ湯用シリンダ式弁装置６４が冷水捨水状態に切り替えられた場合には、湯水が打たせ湯用シリンダ式弁装置６４から打たせ湯側捨水配管Ｌ５２に導出され、打たせ湯側捨水配管Ｌ５２を介して、下方側吐水部５０から冷水が排水される。打たせ湯側捨水配管Ｌ５２は、打たせ湯用シリンダ式弁装置６４と下方側吐水部５０とを接続する。
なお、下方側吐水配管Ｌ３２、オーバーヘッドシャワー側捨水配管Ｌ４２及び打たせ湯側捨水配管Ｌ５２は、下流側の下流側合流配管Ｌ６において合流して、下流側合流配管Ｌ６の下流側端部には、下方側吐水部５０が接続される。
【００４１】
ここで、下方側吐水部５０は、オーバーヘッドシャワー用操作ハンドル２３による冷水捨水位置への切り替え操作により配管内に滞留した冷水（滞留水）を排水する吐水部と、打たせ湯用操作ハンドル２４による冷水捨水位置への切り替え操作により配管内に滞留した冷水（滞留水）を排水する吐水部と、ハンドシャワー用操作ハンドル２２による切り替え操作により下方側から湯水を吐水する吐水部と、の共通の吐水部である。そのため、下方側吐水部５０から吐水される水は、オーバーヘッドシャワー用操作ハンドル２３の冷水捨水位置において排水される冷水や、及び打たせ湯用操作ハンドル２４の冷水捨水位置において排水される冷水や、ハンドシャワー用操作ハンドル２２の下方側吐水位置において吐水される湯水である。
【００４２】
例えば、ハンドシャワー用操作ハンドル２２を下方側吐水位置に回転操作した場合には、ハンドシャワー用切替バルブ（図示せず）を介して、下方側吐水部５０から、湯水が吐水される。ハンドシャワー用操作ハンドル２２を下方側吐水位置に回転操作することで、下方側吐水部５０から湯水を吐水させて、湯水をそのまま使用したり、洗面器などで湯水を汲むことができる。
【００４３】
また、オーバーヘッドシャワー用操作ハンドル２３又は打たせ湯用操作ハンドル２４を冷水捨水位置に回転操作した場合には、オーバーヘッドシャワー用シリンダ式弁装置４０又は打たせ湯用シリンダ式弁装置６４を介して、下方側吐水部５０からは、配管内に滞留した冷水（滞留水）を排水することができる。
【００４４】
ここで、冷水捨水位置に操作した場合に、下方側吐水部５０から冷水を排水する構成とした理由について説明する。
【００４５】
オーバーヘッドシャワー部１４や打たせ湯部１５を一定時間使用しなかった後には、給湯器等に接続された給湯配管Ｌ１１（図２参照）内の水やその他の配管Ｌ１２，Ｌ２（図２参照）内の水は、冷水状態にある。このような場合に、オーバーヘッドシャワー用操作ハンドル２３や打たせ湯用操作ハンドル２４を冷水捨水位置に切り替え操作することで、湯及び水を混合する混合バルブ６１で混合された湯水を供給することにより、配管Ｌ１１，Ｌ１２，Ｌ２内の冷水を、下方側吐水部５０から排水することができる。これにより、使用開始時に、上方側に配置されるオーバーヘッドシャワー部１４や打たせ湯部１５から冷水が吐水されるという事態を防止して、下方側吐水部５０から吐水される水の水温を確認した後に、湯水を吐水させることができる。
【００４６】
下方側吐水部５０の詳細について説明する。
下方側吐水部５０は、図１〜図５に示すように、シャワー装置本体１１のシャワー筐体１１１の下面１１１ｂに取り付けられる。下方側吐水部５０は、図６に示すように、シャワー装置本体１１の下部において、シャワー筐体１１１の内部に配管される下流側合流配管Ｌ６（下方側吐水配管Ｌ３２、オーバーヘッドシャワー側捨水配管Ｌ４２、打たせ湯側捨水配管Ｌ５２）（図２参照）に接続される。下方側吐水部５０は、シャワー装置本体１１の下方側であって、浴室１の洗い場床４の上面から離間した位置に配置される。下方側吐水部５０からは、冷水捨水状態とした場合に配管Ｌ１１，Ｌ１２，Ｌ２（図２参照）内の冷水（残留水）が排水されるため、下方側吐水部５０は、浴室１の下方側において、シャワー装置本体１１と洗い場床４（図１参照）の上面との間に使用者の足先を配置した場合に、使用者の足先よりも上方側に配置され、使用者の足先に下方側吐水部５０から排水された冷水がかかる程度に低い位置に配置される。
【００４７】
下方側吐水部５０は、図６及び図７に示すように、屈曲管体５２と、内部側円筒固定部材５３と、ストップリング部材５５と、下端部材５６と、を備える。
【００４８】
屈曲管体５２は、下流側合流配管Ｌ６の下方側の突出管部Ｌ６ａに接続される。屈曲管体５２は、シャワー装置本体１１の下面から下方に所定長さ延出すると共に、延出した部分の先端部からシャワー装置本体１１の手前側に屈曲して、斜め下方に傾斜して直線状に延びる。屈曲管体５２は、上下方向に延びる縦管５２１と、縦管５２１の下端部に接続される傾斜管５２２と、を有する。
【００４９】
縦管５２１の内部には、下流側合流配管Ｌ６の突出管部Ｌ６ａが配置される。突出管部Ｌ６ａの下端部の外周面と屈曲管体５２の内周面との間には、Ｏリング５４が配置される
縦管５２１の上方側の上方側部分５２１ａは、下方側の下方側部分５２１ｂよりも径が大きく形成され、内部には、下流側合流配管Ｌ６の突出管部Ｌ６ａに固定された内部側円筒固定部材５３が配置される。
【００５０】
縦管５２１の上方側部分５２１ａには、側方に向けて開口する横長開口５２１ｃが形成される。横長開口５２１ｃには、内部側円筒固定部材５３の凹溝５３１に取り付けられるストップリング部材５５（後述）が挿入される。横長開口５２１ｃに挿入されたストップリング部材５５（後述）は、横長開口５２１ｃの縁部に係止される。
【００５１】
内部側円筒固定部材５３は、下流側合流配管Ｌ６の突出管部Ｌ６ａと縦管５２１の上方側部分５２１ａとの間に配置される。内部側円筒固定部材５３は、円筒状に形成され、外周面には、凹溝５３１が形成される。凹溝５３１は、内部側円筒固定部材５３の全周に亘って形成される。凹溝５３１には、ストップリング部材５５が嵌め込まれる。
【００５２】
ストップリング部材５５は、略Ｃ字形状に形成される。ストップリング部材５５は、縦管５２１の上方側の部分に形成される横長開口５２１ｃから、縦管５２１の内部に配置された内部側円筒固定部材５３の凹溝５３１に嵌め込まれる。
【００５３】
ストップリング部材５５は、所定トルク以上の回転トルクが屈曲管体５２に作用した場合に、内部側円筒固定部材５３に対して屈曲管体５２が回転可能なように、先端側が縦管５２１の上方側部分５２１ａと内部側円筒固定部材５３の凹溝５３１との間に入り込んで内部側円筒固定部材５３の凹溝５３１に嵌め込まれる。
【００５４】
ストップリング部材５５は、内部側円筒固定部材５３の凹溝５３１に嵌め込まれた状態において、縦管５２１の横長開口５２１ｃの縁部に係止される。これにより、屈曲管体５２は、内部側円筒固定部材５３に対して回転可能に、内部側円筒固定部材５３に取り付けられる。よって、内部側円筒固定部材５３に対して屈曲管体５２がストップリング部材５５を介して回転することで、下方側吐水部５０は、下方側吐水口５０１の向きを変更するように回転可能となる。
【００５５】
傾斜管５２２は、縦管５２１の下端部から傾斜して延びる。図５及び図６に示すように、傾斜管５２２は、上方側から下方側に向かうに従ってシャワー装置本体１１の外側に向かうに従って下るように傾斜する直線状に形成される。傾斜管５２２は、垂直方向の下向きに対する角度が、角度θで傾斜する。角度θは、鋭角であることが好ましく、例えば、本実施形態においては、垂直方向の下向きに対して４０°である。
【００５６】
傾斜管５２２の下端には、下方側吐水口５０１が形成される。傾斜管５２２の下端の内部には、下端部材５６が配置される。下端部材５６は、図７に示すように、円筒状に形成され、傾斜管５２２の内部における先端側に配置される。下端部材５６の内部には、整流部材５６１が配置される。整流部材５６１と屈曲管体５２の内面に形成された段差面５２３との間には、パッキン部材５６２が配置される。
【００５７】
下方側吐水口５０１は、使用者がシャワー装置本体１１に対面した場合に、シャワー装置本体１１の手前側を向いて開口する。本実施形態においては、垂直方向の下方向に対する下方側吐水口５０１の向きは、シャワー装置本体１１の手前側において、シャワー装置本体１１から離れる側が下方になるように傾斜する向きである。例えば、本実施形態においては、垂直方向の下向きに対して４０°である。なお、下方側吐水口５０１の向く角度とは、垂直方向の下向きに対する下方側吐水口５０１の軸方向の角度を意味する。
【００５８】
傾斜管５２２は、図５に示すように、その先端が、シャワー装置本体１１の前面１１１ａから外部に突出しないように形成される。また、下方側吐水部５０が回転して、下方側吐水口５０１が側方を向いた場合においても、傾斜管５２２は、その先端が、シャワー装置本体１１のシャワー筐体１１１の側面１１１ｃ，１１１ｄから突出しないように形成される。つまり、下方側吐水部５０は、回転位置によらず、シャワー装置本体１１の前面１１１ａから突出しない位置に配置される。
【００５９】
本実施形態においては、図７に示すように、シャワー装置本体１１の下面板１１２に形成される取り付け孔１１２ａの周縁から、シャワー装置本体１１のシャワー筐体１１１の前面１１１ａ及び側面１１１ｃ、１１１ｄまでの距離の中で、シャワー装置本体１１のシャワー筐体１１１の前面１１１ａまでの距離が最も近い。そのため、図４及び図５に示すように、下方側吐水口５０１がシャワー装置本体１１の手前側を向いた状態において、屈曲管体５２の先端が、シャワー装置本体１１のシャワー筐体１１１の前面１１１ａから突出しないため、下方側吐水部５０を回転した場合においても、シャワー装置本体１１のシャワー筐体１１１の側面１１１ｃ，１１１ｄから突出しない。
【００６０】
以上説明してきたように、本実施形態によれば、以下の効果が奏される。
本実施形態のシャワー装置１０は、シャワー装置本体１１と、シャワー装置本体１１の下方側に配置される下方側吐水口５０１を有する下方側吐水部５０と、下方側吐水口５０１よりも上方側に配置される散水孔１４２ａを有するオーバーヘッドシャワー吐水部１４２と、オーバーヘッドシャワー吐水部１４２に接続されるオーバーヘッドシャワー側吐水配管Ｌ４と、下方側吐水部５０に接続され配管Ｌ１１，Ｌ１２，Ｌ２内に滞留した冷水（滞留水）を排水するためのオーバーヘッドシャワー側捨水配管Ｌ４２と、下方側吐水部５０に接続される下方側吐水配管Ｌ３２と、を備え、下方側吐水口５０１は、シャワー装置本体１１に対面した場合におけるシャワー装置本体１１の手前側を向くように配置される。そのため、シャワー装置本体１１の下方側に配置される下方側吐水口５０１からは、シャワー装置本体１１よりも手前側に向かって水が吐水される。これにより、下方側吐水口５０１から水が吐水していることを確実に認識できる。また、シャワー装置本体１１の手前側において、下方側吐水口５０１から吐水される湯水を洗面器などで容易に受けることができる。そのため、シャワー装置本体１１の手前の下方において水を洗面器などで受けた後に、洗面器を上方に持ち上げることができる。従って、下方側吐水口５０１から吐出される水を容易に洗面器などに汲むことができる。
【００６１】
また、本実施形態では、下方側吐水部５０は、下方側吐水口５０１の向きを変更するように回転可能に構成される。これにより、使用状況に応じて、下方側吐水口５０１の向きを変更することで、下方側吐水口５０１から吐水される水の向きを変更することができる。例えば、本実施形態においては、浴室１の内部において、シャワー装置１０の側方の下方側には、ベンチカウンター５が配置されている。ベンチカウンター５がある場合に、ベンチカウンター５が存在しない側に下方側吐水口５０１が向くように、下方側吐水部５０を回転させることができる。
【００６２】
また、本実施形態では、下方側吐水部５０は、シャワー装置本体１１の前面１１１ａから突出しない位置に配置される。そのため、下方側吐水部５０がシャワー装置本体１１の前面１１１ａから突出しないため、意匠性を向上できる。また、下方側吐水部５０が人にぶつかることを防止できる。よって、安全性を確保できる。
【００６３】
以上、本発明のシャワー装置１０の好ましい一実施形態について説明したが、本発明は、上述の実施形態に制限されるものではなく、適宜変更が可能である。
例えば、前記実施形態においては、下方側吐水配管Ｌ３２、オーバーヘッドシャワー側捨水配管Ｌ４２及び打たせ湯側捨水配管Ｌ５２を、下流側の下流側合流配管Ｌ６において合流させたが、これに限定されない。下方側吐水配管Ｌ３２、オーバーヘッドシャワー側捨水配管Ｌ４２及び打たせ湯側捨水配管Ｌ５２を合流させる配管を設けずに、それぞれの下流側端部を、下方側吐水部５０に直接接続してもよい。
【００６４】
前記実施形態においては、オーバーヘッドシャワー吐水部１４２の複数の散水孔１４２ａを、シャワー装置本体１１の上部から水平に延びるオーバーヘッドシャワー筐体１４１に設けたが、これに限定されない。例えば、オーバーヘッドシャワー吐水部１４２の複数の散水孔１４２ａを、シャワー装置本体１１における上方側に設けてもよいし、シャワー装置本体１１から離れた位置に配置される浴室天井面３ａに設けてもよい。オーバーヘッドシャワー吐水部１４２の複数の散水孔１４２ａを、シャワー装置本体１１から離れた位置に配置される浴室天井面３ａに設ける場合には、シャワー装置本体１１とオーバーヘッドシャワー吐水部１４２の複数の散水孔１４２ａとは、壁パネル２の裏や天井パネル３の裏などを通る配管により接続される。
【００６５】
前記実施形態においては、上方側吐水部を、オーバーヘッドシャワー吐水部１４２に適用した例について説明したが、これに限定されず、打たせ湯吐水部１５１に適用してもよい。
【００６６】
また、前記実施形態においては、オーバーヘッドシャワー用操作ハンドル２３において冷水捨水状態とする切り替え操作を可能とし、ハンドシャワー用操作ハンドル２２において下方側吐水部５０から湯水を吐水する下方側吐水状態とする切り替え操作を可能とした。しかし、これに限定されない。例えば、オーバーヘッドシャワー用操作ハンドル２３における３つの切替位置に切り替え操作可能な構成に、下方側吐水部５０から湯水を吐水する下方側吐水状態となる下方側吐水位置の切替位置を加えて、４つの切替位置に切り替え操作を可能な構成としてもよい。これにより、オーバーヘッドシャワー用操作ハンドル２３の操作により、下方側吐水部５０から湯水を吐水することができる。
【符号の説明】
【００６７】
１０  シャワー装置（水栓装置）
１１  シャワー装置本体（装置本体）
５０  下方側吐水部
１４２  オーバーヘッドシャワー吐水部（上方側吐水部）
１４２ａ  散水孔（上方側吐水口）
５０１  下方側吐水口
Ｌ３２  下方側吐水配管（下方側流路）
Ｌ４１  オーバーヘッドシャワー側吐水配管（上方側流路）
Ｌ４２  オーバーヘッドシャワー側捨水配管（捨水流路）
【図１】
2019042044.tif 000003
【図２】
2019042044.tif 000004
【図３】
2019042044.tif 000005
【図４】
2019042044.tif 000006
【図５】
2019042044.tif 000007
【図６】
2019042044.tif 000008
【図７】
2019042044.tif 000009